(57)【要約】【課題】ノズルを容器に対して摺動引出及び収納させることにより、ノズルを容器の側方に十分な長さだけ引き出して用いることができ、その使い勝手がよく、ノズルを容器の内側に収納し、別途のオーバーキャップ無しでも、安全に保管できるのみならず、ディスペンサをコンパクトなサイズで提供可能になるノズル収納式ディスペンサを提供する。【解決手段】本発明によるノズル収納式ディスペンサは、内部に内容物を収容する容器と、前記容器の内部空間と連通して容器の上部に結合されるシリンダと、前記シリンダの内部を乗降するピストンと、前記ピストンを加圧するように、容器の上側に設置され、中央には、前記シリンダと連通する連通孔を有する加圧部材と、前記加圧部材と容器との間に介在される弾性手段と、前記加圧部材に対して摺動前後進するように加圧部材の上面に装着され、上部には、ボタン部が形成され、一側方には、前記連通孔と内通するノズルが突設されたポンピングボタンと、前記ポンピングボタンが露出するように切開された切開部を有し、ポンピングボタンの周縁部を覆うように、ポンピングボタンの上部に装着されるカバー部材と、を備え、前記ポンピングボタンが、前記弾性手段によって弾性支持された状態で、加圧部材に対して摺動前後進され、前記容器の側方に引出及び収納される。【選択図】図２
2010537898.tif 000002
【特許請求の範囲】
【請求項１】
内部に内容物を収容する容器２０と、前記容器２０の内部空間と連通して容器２０の上部に結合されるシリンダ２２と、前記シリンダ２２の内部を乗降するピストン２４と、前記ピストン２４を加圧するように、容器２０の上側に設置され、中央には、前記シリンダ２２と連通する連通孔２６を有する加圧部材２８と、前記加圧部材２８と容器２０との間に介在される弾性手段３０と、前記加圧部材２８に対して摺動前後進するように加圧部材２８の上面に装着され、上部には、ボタン部３２が形成され、一側方には、前記連通孔２６と内通するノズル３４が突設されたポンピングボタン３６と、前記ポンピングボタン３６が露出するように切開された切開部３８を有し、ポンピングボタン３６の周縁部を覆うように、ポンピングボタン３６の上部に装着されるカバー部材４０と、を備え、
前記ポンピングボタン３６が、前記弾性手段３０によって弾性支持された状態で、加圧部材２８に対して摺動前後進され、前記容器２０の側方に引出及び収納されることを特徴とするノズル収納式ディスペンサ。
【請求項２】
前記カバー部材４０の下方には、係止溝部４２が形成され、これに対応して、前記ポンピングボタン３６の側方には、前記係止溝部４２に係止する係止突部４４が設けられ、前記ポンピングボタン３６が摺動後進し、ノズル３４が容器２０の内側に収納されるとき、前記係止突部４４が係止溝部４２に係止され、ポンピングボタン３６のポンピング作動がロックされることを特徴とする請求項１に記載のノズル収納式ディスペンサ。
【請求項３】
前記加圧部材２８上には、前記ポンピングボタン３６の摺動を案内するガイド溝部４６が形成され、これに対応して、前記ポンピングボタン３６の下方には、前記ガイド溝部４６に挿入されて摺動するガイド突部４８が設けられ、前記ガイド突部４８の端部には、ガイド突部４８がガイド溝部４６から離脱することを防止するための係止突起５０が形成されることを特徴とする請求項１または２に記載のノズル収納式ディスペンサ。
【請求項４】
前記ポンピングボタン３６の下部には、前記加圧部材２８の連通孔２６と連通する流入管５２が形成され、前記加圧部材２８の上部には、前記流入管５２の摺動を規制するように立設された流入管収容部５４が設けられることを特徴とする請求項１または２に記載のノズル収納式ディスペンサ。
【発明の詳細な説明】
【技術分野】
【０００１】
本発明は、ノズル収納式ディスペンサに関し、ノズルを容器の側方に十分な長さだけ突出させ、使い勝手がよく、ディスペンサのサイズをコンパクトに減らすことができるノズル収納式ディスペンサに関する。
【背景技術】
【０００２】
一般に、化粧品またはその他のゲルタイプの内容物を収容するディスペンサは、上部に設けられたポンピングボタンを作動すると、側方に突出した吐出口から内容部が吐き出されるようになっている。
図１は、従来の一般的なディスペンサの構造を示す。図１を参照すると、ディスペンサは、内容物を収容する容器１と、容器の上端に支持体２を介して結合され、容器の内部空間と連通するシリンダ３と、シリンダ３の内部で乗降するピストン４と、支持体２の上部に結合され、前記ピストン４を乗降駆動させるポンピングボタン５と、ポンピングボタン５と支持体２との間に介在される弾性手段６と、で構成される。ポンピングボタン５は、内部に前記シリンダ３と連通するノズル７を有し、このノズル７は、ポンピングボタン５の一側方に突設される。シリンダ３の下部には、内容物が吸入される吸入口８及び逆止め弁９が装着され、ピストン４とポンピングボタン５との間には、連結管としてステム１０が設置される。
このような構造のディスペンサは、使用上の便宜のために、図示のように、ポンピングボタン５のノズル７が容器１の側方向に向かって突出して構成される。しかし、ノズル７が容器１の側方に突出し過ぎる場合、ディスペンサの保管が困難であり、ノズルが折れる等の問題点が発生する。したがって、多くのディスペンサは、容器１に比べて外径が小さなポンピングボタン５を備え、ノズル７がポンピングボタン５の側方から容器１の外径を外れないように突出して構成される。また、不使用時にポンピングボタン５が誤作動することを防止するために、ポンピングボタン５とノズル７を覆うオーバーキャップ１１をさらに備える。
しかしながら、このような構造のディスペンサは、ノズル７がポンピングボタン５の側方に極めて短い長さだけ突出しており、ノズル７の先端から内容物を受けて使うことが不便であるという問題点があった。また、ポンピングボタン５の乗降作動の区間を確保しなければならず、別途にオーバーキャップ１１を装着する等により、ディスペンサのサイズが大きくなり、オーバーキャップ１１の着脱が複雑であり、しかも、頻繁な着脱により、オーバーキャップ１１が失いやすいという問題点があった。
【発明の概要】
【発明が解決しようとする課題】
【０００３】
本発明は、上記問題点に鑑みなされたものであり、ノズルを容器に対して摺動引出及び収納させることにより、ノズルを容器の側方に十分な長さだけ引き出して用いることができ、その使い勝手がよく、ノズルを容器の内側に収納し、別途のオーバーキャップ無しでも、安全に保管できるのみならず、ディスペンサをコンパクトなサイズで提供可能になるノズル収納式ディスペンサを提供することを目的とする。
【課題を解決するための手段】
【０００４】
上記の課題を解決するために、本発明によるノズル収納式ディスペンサは、内部に内容物を収容する容器と、前記容器の内部空間と連通して容器の上部に結合されるシリンダと、前記シリンダの内部を乗降するピストンと、前記ピストンを加圧するように、容器の上側に設置され、中央には、前記シリンダと連通する連通孔を有する加圧部材と、前記加圧部材と容器との間に介在される弾性手段と、前記加圧部材に対して摺動前後進するように加圧部材の上面に装着され、上部には、ボタン部が形成され、一側方には、前記連通孔と内通するノズルが突設されたポンピングボタンと、前記ポンピングボタンが露出するように切開された切開部を有し、ポンピングボタンの周縁部を覆うように、ポンピングボタンの上部に装着されるカバー部材と、を備え、前記ポンピングボタンが、前記弾性手段によって弾性支持された状態で、加圧部材に対して摺動前後進され、前記容器の側方に引出及び収納されることを特徴とする。
好ましくは、前記カバー部材の下方には、係止溝部が形成され、これに対応して、前記ポンピングボタンの側方には、前記係止溝部に係止する係止突部が設けられ、前記ポンピングボタンが摺動後進し、ノズルが容器の内側に収納されるとき、前記係止突部が係止溝部に係止され、ポンピングボタンのポンピング作動がロックされるように構成される。
より好ましくは、前記加圧部材上には、前記ポンピングボタンの摺動を案内するガイド溝部が形成され、これに対応して、前記ポンピングボタンの下方には、前記ガイド溝部に挿入されて摺動するガイド突部が設けられ、前記ガイド突部の端部には、ガイド突部がガイド溝部から離脱することを防止するための係止突起が形成される。
【発明の効果】
【０００５】
本発明のノズル収納式ディスペンサによると、ノズルを有するポンピングボタンが、弾性手段によって弾性支持された状態で、加圧部材に対して摺動前後進されるように構成することにより、ポンピングボタンを摺動操作する簡単な作動で、ノズルを容器の側方に十分な長さだけ引き出して用いることができ、使い勝手がよいのみならず、ノズル先端の吐出口から内容物を受けることが容易であり、不使用時は、ポンピングボタンを摺動後進させ、容器の内側に収納して、保管が容易であり、別途のオーバーキャップ等を用いることなく、よりコンパクトな構造を志向することができるという効果を奏する。
また、本発明によると、ノズルが容器の内側に収納されるとき、ポンピングボタンの側方の係止突部がカバー部材の係止溝部に係止され、ポンピングボタンの作動をロックすることにより、保管時、ポンピングボタンの誤作動を防止し、ディスペンサをより清潔に保管することができるという効果を奏する。
【図面の簡単な説明】
【０００６】
【図１】従来のディスペンサの構造を示す断面図である。
【図２】本発明によるノズル収納式ディスペンサの部分抜粋分解図である。
【図３】本発明におけるノズルが引き出された状態を示す使用状態断面図である。
【図４】本発明におけるノズルが引き出された状態を示す使用状態断面図である。
【図５】本発明におけるノズルが収納された状態を示す断面図である。
【発明を実施するための形態】
【０００７】
以下、添付した図面に基づき、本発明の好適な実施例について詳述する。
図２は、本発明によるノズル収納式ディスペンサの部分抜粋分解図であり、図３及び図４は、本発明におけるノズルが引き出された状態を示す使用状態断面図であり、図５は、本発明におけるノズルが収納された状態を示す断面図である。
先ず、本発明のディスペンサは、従来と同様に、容器２０、シリンダ２２、ピストン２４、弾性手段３０を備えるディスペンサの基本構造からなっている。この際、従来のディスペンサにおけるポンピングボタンが単一の部材で形成されたこととは異なり、本発明では、加圧部材２８、ポンピングボタン３６、カバー部材４０の３つの部材が結合された構造からなる。
本発明によるノズル収納構造の説明に先立って、ディスペンサの基本構造について略述する。
前記容器２０の内部には、化粧品またはその他のゲルタイプの内容物が収容される。容器２０の上端には、開口部が形成され、ここに支持体５６が結合される。支持体５６は、前記シリンダ２２を設置するための手段であり、以下の説明では、容器２０の一部分として理解される。
前記シリンダ２２は、容器２０の内部の内容物の収容空間と連通して前記支持体５６上に設置され、その下部には、吸入口５８が設けられ、前記ピストン２４のポンピング作動により、容器２０の内部の内容物を吸入する。また、内容物が吸入され過ぎることを防止するために、図示のようにシリンダ２２の底部に逆止め弁６０が設置されてもよい。
シリンダ２２の内部に前記ピストン２４が乗降可能に設置される。好ましくは、ピストン２４上には、内容物が通る通路が形成され、ピストン２４の先端の周縁には、シリンダ２２の内壁に密着するシール部材６２が装着される。
前記支持体５６の上端の開口部には、後述のように、前記加圧部材２８、ポンピングボタン３６、カバー部材４０が順次に装着される。加圧部材２８の中央には、シリンダ２２と連通する連通孔２６が形成され、ポンピングボタン３６には、前記連通孔２６と内通され、一側方に突出したノズル３４が設けられる。加圧部材２８と支持体５６との間には、シリンダ２２とポンピングボタン３６のノズル３４を連通させる中空のステム６４が設置され、このステム６４の周縁部に弾性手段３０が介在される。したがって、ポンピングボタン３６及び加圧部材２８が支持体５６に対して押圧されるとき、ピストン２４がシリンダ２２の内部を下降すると共に、容器２０内の内容物がノズル３４側にポンピングされ、ポンピングボタン３６に加えられる外力が解除すると、弾性手段３０の弾性復元力によってポンピングボタン３６が元の位置に復帰される。この際、前記弾性手段３０は、図示のように、ステム６４の外周縁に設置されるコイルスプリングであって、内容物の通路と空間的に区画されることが好ましい。
上述したディスペンサの構造は、ポンピングボタン３６を操作して内容物をポンピングする基本的なメカニズムを有し、容器の構造またはポンピング構造等は、上述した例以外に様々な方式で構成され得る。本発明は、このような構造で、ポンピングボタン３６のノズル３４が容器２０の側方に摺動引出及び収納されるようにすることを特徴とし、以下の説明において、その構成及び作用についてより詳述する。
図２の分解図を参照すると、前記加圧部材２８の中央には、シリンダ２２及びステム６４と連通する連通孔２６が形成され、この連通孔２６の両側には、長孔状のガイド溝部４６が形成される。また、前記連通孔２６の周縁部には、後述するポンピングボタン３６の流入管５２を収容する流入管収容部５４が立設される。加圧部材２８は、前記弾性手段３０に弾性支持された状態で、前記容器２０の上端、好ましくは、前記支持体５６の上端に乗降可能に装着される。このため、支持体５６の上端の内側には、ガイド凹溝６６が形成され、加圧部材２８の側方には、ガイド凹溝６６に挿入されて乗降するガイド突条６８が設けられる。
前記ポンピングボタン３６は、前記連通孔２６と内通され、一側方に突出したノズル３４を有する。ポンピングボタン３６の底部には、図３及び図４に示すように、連通孔２６と接し、前記流入管収容部５４によって摺動が規制される流入管５２が設けられ、この流入管５２はノズル３４と連結される。流入管５２の両側には、前記ガイド溝部４６に挿入され、摺動前後進される１対のガイド突部４８が設けられる。また、ガイド突部４８の端部には、ガイド溝部４６からガイド突部４８が上向き離脱することを防止するために、係止突起５０が形成される。
ポンピングボタン３６の上面には、ポンピングボタン３６を押圧操作するためのボタン部３２が形成される。好ましくは、ポンピングボタン３６の摺動前後進の際に、ボタン部３２に加えられる摩擦力を高めるために、ボタン部３２の上面には、複数の凹凸が形成される。
図３、図４、及び図５に示すように、ポンピングボタン３６は、加圧部材２８に対して摺動前後進され、その側方に突出したノズル３４が、容器２０の側方に引出され、または容器２０の内側に収納されるように作動する。また、ポンピングボタン３６が引出された状態では、前記弾性手段３０によって加圧部材２８と一緒に弾性乗降すると共に、内容者をポンピングするように作動される。このように、ノズル３４が引き出された状態で乗降可能に、前記支持体５６の一側方には、ノズル乗降溝７０が形成される。
前記カバー部材４０は、ポンピングボタン３６を覆うように、支持体５６の上端に結合される。好ましくは、カバー部材４０上には、ポンピングボタン３６のボタン部３２が露出するように切開部３８が形成され、切開部３８の周縁部の下方には、係止溝部４２が形成される。係止溝部４２は、切開部３８の周縁部の両側方に下向き突出して形成され、前方が開口され、後方が閉鎖されたスリット状を有する。これに対応して、前記ポンピングボタン３６の両側方には、係止突部４４が突設さられる。したがって、ポンピングボタン３６が加圧部材２８に対して摺動後退するとき、前記係止突部４４が係止溝部４２内に挿入され、係止突部４４が係止溝部４２に挿入された状態では、ポンピングボタン３６の乗降作動がロックされる。
図３、図４は、本発明のノズルが引き出された状態での使用状態を示す。先ず、図３における矢印方向に、ポンピングボタン３６の上面のボタン部３２を摺動前進移動させると、加圧部材２８に対してポンピングボタン３６が前進すると共に、支持体５６のノズル乗降溝７０から容器２０の側方にノズル３４が引き出される。この際、ポンピングボタン３６は、弾性手段３０の弾性支持力によって、加圧部材２８と密着した状態を維持し、水平方向の外力が加えられなければ、ノズル３４の引出状態が維持される。
ノズル３４が引き出された状態で、図４における矢印方向に、ポンピングボタン３６を押圧すると、ポンピングボタン３６と加圧部材２８が一緒に下降する共に、容器２０の内部の内容物をポンピングし、内容物は、ノズル３４の先端に吐き出される。また、ポンピングボタン３６に加えられる外力が解除すると、ポンピングボタン３６は、元の位置に復帰する。
以降、ディスペンサの使用を中止する場合、図５における矢印方向に、ポンピングボタン３６を後進移動させると、加圧部材２８に対してポンピングボタン３６が後退すると共に、図示のように、ノズル３４が容器２０の内側に収納される。この際、ポンピングボタン３６の両側方の係止突部４４が、カバー部材４０の係止溝部４２内に挿入されると共に、ポンピングボタン３６の乗降作動がロックされる。
このような本発明のノズル収納式ディスペンサは、ポンピングユニットが、加圧部材２８、ポンピングボタン３６、カバー部材４０の３つの構成品からなる。ポンピングボタン３６は、加圧部材２８に対して摺動前後進され、これにより、ポンピングボタン３６の一側方に突出したノズル３４が、容器２０の側方に引出または収納される。この際、ポンピングボタン３６の摺動前後進作動は、弾性手段３０の弾性支持力によって規制され、したがって、ポンピングボタン３６の自由移動が防止され、使用者の操作によってのみ前後進作動される。
ノズル３４が引き出された状態では、ポンピングボタン３６のポンピング作動が可能であり、ノズル３４が収納された状態では、ポンピングボタン３６のポンピング作動がロックされる。カバー部材４０は、ノズル３４が容器２０の内側に収納された状態で、ノズル３４を隠蔽させる役割をすると共に、ポンピングボタン３６の操作をロックする役割を行う。
このような本発明は、ノズル３４を容器２０の側方に十分な長さだけ引き出して用いることができる。したがって、使い勝手がよく、ノズル３４の先端から手のひらに内容物を受けて使うことが容易である。また、不使用時は、ノズル３４を容器２０の内側に収納させ隠蔽させることにより、別途のオーバーキャップ無しでも、保管が容易である。また、ポンピングボタン３６の乗降作動のための空間確保を最小化することができ、オーバーキャップの不使用等により、ディスペンサのサイズを極めてコンパクトに設計することができるという利点がある。
上述した本発明は、上記した実施例及び添付図面によって限定されるものではなく、本発明の技術的思想を逸脱しない範囲内で、様々な置換、変形及び変更が可能であることは、本発明の属する技術の分野における通常の知識を有する者にとって明白であろう。
【符号の説明】
【０００８】
２０  容器
２２  シリンダ
２４  ピストン
２６  連通孔
２８  加圧部材
３０  弾性手段
３２  ボタン部
３４  ノズル
３６  ポンピングボタン
３８  切開部
４０  カバー部材
４２  係止溝部
４４  係止突部
４６  ガイド溝部
４８  ガイド突部
５０  係止突起
５２  流入管
５４  流入管収容部
【図１】
2010537898.tif 000003
【図２】
2010537898.tif 000004
【図３】
2010537898.tif 000005
【図４】
2010537898.tif 000006
【図５】
2010537898.tif 000007
【国際調査報告】
2010537898.tif 000008
2010537898.tif 000009